(57)【要約】【課題】汚染空気の拡散を確実に防ぎ、障害物があっても効果的に汚染空気を除去することができ、使用者が汚染空気エリアに存在しても直接気流を当てることなく汚染空気を除去できる空気清浄装置を提供することを目的とする。【解決手段】本体１の両側面に連接して本体より前方に出没可能にパネル体２を設け、各々のパネル体２にパネル体吹出口６を設け、左右のパネル体吹出口６より吹き出された空気により、ポータブルトイレ８に直接吹き出すことなく、その側方を通るように循環流を確実に形成して臭気を周囲に拡散させず、臭気を含む汚染空気を本体吸込口３へと誘引するように脱臭手段１０に送り込んで除去することができる空気清浄装置が得られる。【選択図】図１
2006334207.tif 000002
【特許請求の範囲】
【請求項１】
臭気成分を含む汚染空気が拡散しないように部屋内を区切る仕切り手段と、汚染空気から臭気成分を除去する脱臭手段を備えた本体と、前記仕切り手段によって仕切られた臭気空間内の汚染空気を前記脱臭手段に搬送する搬送手段を有し、前記臭気空間は人体および悪臭源を包囲してなる脱臭装置。
【請求項２】
本体の一側面に連接して本体より前方に出没可能に設けたパネル体と、このパネル体の端部に設けたパネル体吹出口と、前記パネル体吹出口と脱臭手段に連通して設けた送風装置および本体吸込口を有し、前記本体と前記パネル体で仕切り手段を形成するとともに、前記送風装置と前記本体吸込口および前記パネル体吹出口とで搬送手段を形成してなる請求項１記載の脱臭装置。
【請求項３】
本体の両側面に連接して本体より前方に出没可能に複数のパネル体を設け、各々のパネル体にパネル体吹出口を設けてなる請求項２記載の脱臭装置。
【請求項４】
本体の一側面に連接して本体より前方に出没可能に設けたパネル体と、このパネル体の端部に設けたパネル体吸込口と、前記パネル体吸込口と脱臭手段に連通して設けた送風装置および本体吹出口を有し、前記本体と前記パネル体で仕切り手段を形成するとともに、前記送風装置と前記本体吹出口および前記パネル体吸込口とで搬送手段を形成してなる請求項１記載の脱臭装置。
【請求項５】
本体の両側面に連接して本体より前方に出没可能に複数のパネル体を設け、各々のパネル体にパネル体吸込口を設けてなる請求項４記載の脱臭装置。
【発明の詳細な説明】
【技術分野】
【０００１】
本発明は、室内で発生する臭気などの汚染空気の拡散防止と除去を行う空気清浄装置に関する。
【背景技術】
【０００２】
従来、この種の空気清浄装置として、室内を部分的に遮蔽する衝立型空気清浄機が知られている（例えば、特許文献１参照）。
【０００３】
以下、その空気清浄装置について図７および図８を参照しながら説明する。
【０００４】
図７に示すように、直方体形状の本体１０１の前面上部には吸入口１０２が設けられており、本体１０１の前面下部には第１の吐出口１０３が、背面下部には第２の吐出口１０４が設けられている。本体１０１の内部には、吸入口１０２から第１の吐出口１０３および第２の吐出口１０４へと連通する流路が形成されており、吸入口１０２の下流側には空気中の微粒子を捕集する電気集塵式の集塵器１０５が設けられており、さらに集塵器１０５の下流側には、空気を吸入口１０２から吸入し第１の吐出口１０３、第２の吐出口１０４へ送風する送風機１０６が設けられている。また、送風機１０６の下流側には、送風機１０６からの空気を第１の吐出口１０３、第２の吐出口１０４へ分流する分流器１０７が設けられている。図８に示すように、本体１０１はパーティション１１０と共に部屋１１１に設置され、部屋１１１の側壁面１０８ａ、１０８ｂと本体１０１及びパーティション１１０で部屋１１１の一部を仕切ることで小区画１１２を形成している。
【０００５】
また送風機１０６によって吸入口１０２から吸入された空気は、集塵器１０５で微粒子を除去され、清浄空気として第１の吐出口１０３および第２の吐出口１０４から外部へ吐出される。ここで、第１の吐出口１０３から送風される風量は、第２の吐出口１０４から送風される風量よりも小さくなるように構成されている。第１の吐出口１０３から吐出された空気は、側壁面１０８ａの方向に向かって壁床１０９に沿って流通し、側壁面１０８ａに達すると、側壁面１０８ａに沿って上昇する。その後、吸入口１０２の高さまで上昇すると、吸入口１０２の方向へ向かって誘引され、吸入口１０２から本体１０１内部へ吸入される。こうして空気の循環流が形成され、小区画１１２内で発生した煙草の煙等が、この空気の循環流に誘引され吸入口１０２へ吸引される。また、第１の吐出口１０３から送風される風量が第２の吐出口１０４から送風される風量よりも小さいために、小区画１１２内部は負圧になり、煙草の煙等が小区画１１２外部に拡散することを防ぎ、小区画１１２内部の空気を清浄に保つものである。
【特許文献１】特開平１０−３８１号公報
【発明の開示】
【発明が解決しようとする課題】
【０００６】
このような従来の空気清浄装置では、本体１０１に対向する側壁面１０８ａが離れている場合には、第１の吐出口１０３から送風される空気が側壁面１０８ａに到達して戻ってくる風量が極めて少ないため、空気の循環流が形成されず、汚染空気が外部へ拡散してしまうという課題があり、空気の循環流を確実に形成して汚染空気を周囲に拡散しないことが要求されている。
【０００７】
また、本体１０１と側壁面１０８ａの間の床面１０９に障害物が存在すると、充分に空気の循環流を形成することができず、効率的に空気を浄化することができないという課題があり、床面に気流を遮断する障害物があっても空気を充分に循環させて汚染空気を効率よく浄化することが要求されている。
【０００８】
また、循環流中に使用者が存在する場合、循環流の障害物として気流を乱すだけでなく、冬場においては使用者の体温を下げるという課題があり、気流が人体に直接当たらないことが要求されている。
【０００９】
本発明はこのような従来の課題を解決するものであり、汚染空気の拡散を確実に防ぎ、障害物があっても効果的に汚染空気を除去することができ、使用者が汚染空気エリアに存在しても直接気流を当てることなく汚染空気を除去できる空気清浄装置を提供することを目的としている。
【課題を解決するための手段】
【００１０】
本発明の空気清浄装置は上記目的を達成するために、臭気成分を含む汚染空気が拡散しないように部屋内を区切る仕切り手段と、汚染空気から臭気成分を除去する脱臭手段を備えた本体と、前記仕切り手段によって仕切られた臭気空間内の汚染空気を前記脱臭手段に搬送する搬送手段を有し、前記臭気空間は人体および悪臭源を包囲したものである。
【００１１】
これにより、汚染空気の拡散を確実に防ぐことのできる空気清浄装置が得られる。
【００１２】
また他の手段は、本体の一側面に連接して本体より前方に出没可能に設けたパネル体と、このパネル体の端部に設けたパネル体吹出口と、前記パネル体吹出口と脱臭手段に連通して設けた送風装置および本体吸込口を有し、前記本体と前記パネル体で仕切り手段を形成するとともに、前記送風装置と前記本体吸込口および前記パネル体吹出口とで搬送手段を形成したものである。
【００１３】
これにより、汚染空気の拡散を確実に防ぐことのできる空気清浄装置が得られる。
【００１４】
また他の手段は、本体の両側面に連接して本体より前方に出没可能に複数のパネル体を設け、各々のパネル体にパネル体吹出口を設けたものである。
【００１５】
これにより、障害物があっても効果的に汚染空気を除去することができ、使用者が汚染空気エリアに存在しても直接気流を当てることなく汚染空気を除去できる空気清浄装置が得られる。
【００１６】
また他の手段は、本体の一側面に連接して本体より前方に出没可能に設けたパネル体と、このパネル体の端部に設けたパネル体吸込口と、前記パネル体吸込口と脱臭手段に連通して設けた送風装置および本体吹出口を有し、前記本体と前記パネル体で仕切り手段を形成するとともに、前記送風装置と前記本体吹出口および前記パネル体吸込口とで搬送手段を形成したものである。
【００１７】
これにより、汚染空気の拡散を確実に防ぐことのできる空気清浄装置が得られる。
【００１８】
また他の手段は、本体の両側面に連接して本体より前方に出没可能に複数のパネル体を設け、各々のパネル体にパネル体吸込口を設けたものである。
【００１９】
これにより、障害物があっても効果的に汚染空気を除去することができ、使用者が汚染空気エリアに存在しても直接気流を当てることなく汚染空気を除去できる空気清浄装置が得られる。
【発明の効果】
【００２０】
本発明によれば、室内でポータブルトイレ使用時において、臭気成分を除去すると同時にパネル体を広げて使用者に対する周囲からの視界を遮ることができる効果のある空気清浄装置が得られる。
【００２１】
また、パネル体吹出口より吹き出された空気により、循環流を確実に形成して臭気を周囲に拡散させず、効率的に吸い込んで除去することができ、介護人や同居者等が不快に感じることがない効果のある空気清浄装置が得られる。
【００２２】
また、汚染空気エリアに障害物があっても循環流を乱すことなく効果的に臭気成分を除去することができる効果のある脱臭装置が得られる。
【００２３】
また、汚染空気エリアに使用者が存在しても、使用者に直接気流を当てずに循環流を形成することにより、冬場においても使用者の体温を下げることなく快適に使用できる効果のある空気清浄装置が得られる。
【発明を実施するための最良の形態】
【００２４】
本発明の請求項１記載の発明は、臭気成分を含む汚染空気が拡散しないように部屋内を区切る仕切り手段と、汚染空気から臭気成分を除去する脱臭手段を備えた本体と、前記仕切り手段によって仕切られた臭気空間内の汚染空気を前記脱臭手段に搬送する搬送手段を有し、前記臭気空間は人体および悪臭源を包囲したものであり、パネル体を広げて使用者に対する周囲からの視界を遮るととともに、仕切り手段で人体と悪臭源を包囲して臭気を周囲に拡散させず、脱臭手段で除去することができるという作用を有する。
【００２５】
また、本体の一側面に連接して本体より前方に出没可能に設けたパネル体と、このパネル体の端部に設けたパネル体吹出口と、前記パネル体吹出口と脱臭手段に連通して設けた送風装置および本体吸込口を有し、前記本体と前記パネル体で仕切り手段を形成するとともに、前記送風装置と前記本体吸込口および前記パネル体吹出口とで搬送手段を形成したものであり、パネル体吹出口より吹き出された空気により、臭気空間内の汚染空気を本体吸込口から脱臭手段に送り込むことで、循環流を形成して臭気を周囲に拡散させずに除去できるという作用を有する。
【００２６】
また、本体の両側面に連接して本体より前方に出没可能に複数のパネル体を設け、各々のパネル体にパネル体吹出口を設けたものであり、左右のパネル体吹出口より吹き出された空気により、ポータブルトイレに直接吹き出すことなく、その側方を通るように循環流を確実に形成して臭気を周囲に拡散させず、臭気を含む汚染空気を本体吸込口へと誘引するように脱臭手段に送り込んで除去することができるという作用を有する。
【００２７】
また、本体の一側面に連接して本体より前方に出没可能に設けたパネル体と、このパネル体の端部に設けたパネル体吸込口と、前記パネル体吸込口と脱臭手段に連通して設けた送風装置および本体吹出口を有し、前記本体と前記パネル体で仕切り手段を形成するとともに、前記送風装置と前記本体吹出口および前記パネル体吸込口とで搬送手段を形成したものであり、本体吹出口より吹き出された空気により、臭気空間内の汚染空気をパネル体吸込口から脱臭手段に送り込むことで、循環流を形成して臭気を周囲に拡散させずに除去できるという作用を有する。
【００２８】
また、本体の両側面に連接して本体より前方に出没可能に複数のパネル体を設け、各々のパネル体にパネル体吸込口を設けたものであり、本体吹出口より左右に吹き出された空気により、ポータブルトイレに直接吹き出すことなく、その側方を通るように循環流を確実に形成して臭気を周囲に拡散させず、臭気を含む汚染空気を左右のパネル体吸込口へと誘引するように脱臭手段に送り込んで除去することができるという作用を有する。
【００２９】
以下、本発明の実施の形態について図面を参照しながら説明する。
【００３０】
（実施の形態１）
図１に示すように、縦長の本体１の両端部には略同一高さのパネル体２が伸縮可能に収納され、またパネル体２を伸ばして使用するときは、本体１との接合部で回動可能に連結されている。
【００３１】
本実施の形態では本体１とパネル体２のなす角度を略９０度とした場合を説明する。このとき本体１とパネル体２は略コ字形状に配設され、この囲まれたエリアを室内における汚染空気エリア２０として区画している。この汚染空気エリア２０には、ポータブルトイレ８が設置され、要介護者が適宜使用できるようになっている。本体１の表面パネル４には本体吸入口３が開口され、本体１の両端部にはパネル体２を収納する収納部５が設けられている。パネル体２の端部には空気を吹き出すパネル体吹出口６が設けられ、パネル体吹出口６は伸縮自在のダクト７によって本体１と接続されている。こうして、本体１とパネル体２によって仕切り手段を形成している。
【００３２】
図２および図３に示すように、パネル体２は長い矩形の板材が折りたたみ可能に連結され、前後に伸縮できるものであり、不使用時にはパネル体２は収納部５に折りたたんで収納されている。
【００３３】
図４に示すように、本体１の内部には、本体吸込口３からダクト７に連通して空気流路９が設けられ、本体吸込口３とパネル体吹出口６は、空気流路９およびダクト７を介して連通接続されている。また、本体１の内部には、本体吸込口３側から脱臭手段としての脱臭素子１０、送風装置としてのファン１１とモーター１２が設けられており、本体吸込口３、ファン１１、モーター１２およびパネル体吹出口６で搬送手段を形成している。
【００３４】
脱臭素子１０は、第１脱臭素子１０ａと第２脱臭素子１０ｂからなり、第１脱臭素子１０ａはハニカム状の基材に二酸化マンガンを担持したものであり、第２脱臭素子１０ｂはハニカム状の基材に疎水性ゼオライトを担持したものである。基材には無機繊維ペーパーを骨格にしたハニカム材が使用され、二酸化マンガン、疎水性ゼオライトは、シリカなどのバインダーとともに基材に担持されている。
【００３５】
上記構成において、要介護者などの使用者がポータブルトイレ８で排尿便を行うときは、パネル体２を収納部５から引き出してポータブルトイレ８の側方に沿うように略コ字形状に配置することで、本体１とパネル体２により周囲からの視界を遮ることができる。また室内の一部を汚染空気エリア２０として区画することができる。
【００３６】
次にモーター１２を駆動してファン１１を回転すると、パネル体吹出口６から本体吸込口３へと空気が吹き出されるとともに、略コ字形状に区画された汚染空気エリア２０内の臭気を含んだ空気が本体吸込口３へと吸引され、本体１内の第１脱臭素子１０ａにおいて糞便臭に多く含まれる硫化水素などの臭気成分が取り除かれ、また第２脱臭素子１０ｂにおいて尿臭に多く含まれるアンモニアなどの臭気成分が取り除かれる。清浄化された空気はダクト７を介して再びパネル体吹出口６から汚染空気エリア２０を通り、本体吸込口３に吹き出され、循環流を形成する。このときパネル体吹出口６からポータブルトイレ８方向に直接吹き出すのではなく、その側方を通過する方向に吹き出すことにより、循環流が遮断されることはなく、さらにポータブルトイレ８の使用者に直接風を当てることもなく、臭気を含む空気を本体吸込口３へと誘引することができる。
【００３７】
このように、本体１とパネル体２で臭気成分を含む汚染空気を室内で遮蔽するとともに、パネル体吹出口６から清浄空気を本体吸込口３に向かって吹き出すことで、略コの字形に区画された空間内の汚染空気が、ポータブルトイレ８の使用者にさえぎられることなく本体吸入口３に向かって誘引され、効率よく本体吸入口３に吸い込まれ、臭気を拡散させずに浄化することができ、周囲の介護人や同居者などに悪臭で不快な思いをさせないものである。
【００３８】
なお、本実施の形態では、パネル体２を本体１の両側面に連接しているが、パネル体２を本体１の一側面のみに連接する構成としてもよく、この場合は外観形状を小型化して省スペースで使用することができる。
【００３９】
また、本実施の形態では、ダクト７をパネル体２の外側に設けているが、ダクト７をパネル体２の内側に略一体に設けてもよく、この場合は設置時の取り扱いを容易にすることができる。
【００４０】
（実施の形態２）
実施の形態２の説明において、実施の形態１と同一の部分については同一番号を付し、詳細な説明は省略する。
【００４１】
図５および図６に示すように、本体１の前面上部に空気を左右方向に固定して吹き出す本体吹出口１３を設けるとともに、本体１の左右両端より一対のパネル体２を前方に突出して、平面上で略コ字形状として汚染空気エリア２０を形成している。パネル体２の端部に本体吹出口１３から吹き出された空気を受けるパネル体吸込口１４を設け、ファン１１、モーター１２、本体吹出口１３およびパネル体吸込口１４で搬送手段を形成している。パネル体吸込口１４で吸い込まれた汚染空気は、ダクト７を介して本体１内の脱臭素子１０にて脱臭されたあと、清浄空気を本体吹出口１３から汚染空気エリア２０を通過してパネル体吸込口１４に向けて吹き出すものである。
【００４２】
なお、パネル体吸込口１４をパネル体２の中央付近にも設けることで、ポータブルトイレ８の悪臭源に近接させて臭気を直接吸引するようにしてもよいものである。
【００４３】
上記構成において、ポータブルトイレ８で排尿便中にモーター１２によりファン１１を駆動すると、略コの字形に区画された空間内の臭気を含んだ空気がパネル体吸込口１４から吸引される。吸引された空気は脱臭素子１０に供給され、ここで臭気成分が取り除かれ、そのあと本体吹出口１３から略コの字形に囲まれた汚染空気エリア２０へ清浄空気として吹き出される。
【００４４】
このように本体１とパネル体２で汚染空気を遮蔽するとともに、清浄空気を本体吹出口１３からパネル体吸込口１４に向かって吹き出すことで、略コの字形に区画された汚染空気エリア２０内の臭気を含む汚染空気が本体吸入口３に吸い込まれる。そのため、臭気が周囲に拡散することがなく、臭気の広がりを抑制して介護人や同居者等の不快感を防止することができる。
【００４５】
また、このとき本体吹出口１３からポータブルトイレ８方向に直接吹き出すのではなく、その側方を通過する方向に吹き出すことにより、ポータブルトイレ８の使用者に直接風を当てることなく、臭気を含む空気をパネル体吸込口１４へと誘引することができる。
【００４６】
なお、本実施の形態では、パネル体２を本体１の両側面に連接した構成としたが、これを本体１の一側面に連接する構成としてもよく、この場合は小型化、省スペース化を図ることができる。
【産業上の利用可能性】
【００４７】
本発明に係る脱臭装置は、仕切り手段によって臭気成分の拡散を防止するとともに、臭気成分を効率的に吸引することで、効果的に臭気を除去することができるという効果を有し、病院や介護福祉施設、在宅介護家庭、福祉車両、災害支援車両等の用途にも適用できる。
【図面の簡単な説明】
【００４８】
【図１】本発明の実施の形態１の空気清浄装置の外観斜視図
【図２】同パネル体の斜視図
【図３】同収納部の要部水平断面図
【図４】同本体の要部垂直断面図
【図５】本発明の実施の形態２の空気清浄装置の外観斜視図
【図６】同本体の要部垂直断面図
【図７】従来の空気清浄装置の設置状態の断面図
【図８】同設置状況を示す概略配置図
【符号の説明】
【００４９】
１      本体（仕切り手段）
２      パネル体（仕切り手段)
３      本体吸入口（搬送手段）
６      パネル体吹出口（搬送手段）
１０    脱臭素子（脱臭手段）
１０ａ  第１脱臭素子（脱臭手段）
１０ｂ  第２脱臭素子（脱臭手段）
１１    ファン（送風装置、搬送手段）
１２    モーター（送風装置、搬送手段）
１３    本体吹出口（搬送手段）
１４    パネル体吸込口（搬送手段）
２０    汚染空気エリア（臭気空間）
【図１】
2006334207.tif 000003
【図２】
2006334207.tif 000004
【図３】
2006334207.tif 000005
【図４】
2006334207.tif 000006
【図５】
2006334207.tif 000007
【図６】
2006334207.tif 000008
【図７】
2006334207.tif 000009
【図８】
2006334207.tif 000010